(57)【特許請求の範囲】
【請求項１】
プリンタ本体部と、
前記プリンタ本体部に開閉可能な状態で取り付けられた蓋部と、
を有し、
前記蓋部には、記録ヘッドまたはプラテンローラのうちの一方が取り付けられており、
前記プリンタ本体部には、前記記録ヘッドまたは前記プラテンローラのうちの他方が取り付けられており、
前記プリンタ本体部には、前記プラテンローラをロックするロックが設けられ、前記ロックにはロック状態を解除するロックレバーが設けられており、
前記蓋部には、前記蓋部の表面をスライドするオープンレバーが設けられており、
前記ロックレバーには、前記オープンレバーの突起部と接する部分に傾斜面が設けられており、
前記傾斜面は前記蓋部が開く方向に延在しており、
前記オープンレバーのスライドにより、前記突起部が前記ロックレバーを押してロック状態を解除し、更に前記オープンレバーをスライドさせることによって、前記突起部が前記傾斜面に沿ってスライドして前記オープンレバーには前記蓋部が開く方向に力が加わり、前記蓋部が開くことを特徴とするプリンタ装置。
【請求項２】
前記オープンレバーには、元の状態に戻る方向に復元力の働くバネが設けられていることを特徴とする請求項１に記載のプリンタ装置。
【請求項３】
プリンタ本体部と、前記プリンタ本体部に開閉可能な状態で取り付けられた蓋部と、を有するプリンタ装置の操作方法において、
前記蓋部には、記録ヘッドまたはプラテンローラのうちの一方が取り付けられており、
前記プリンタ本体部には、前記記録ヘッドまたは前記プラテンローラのうちの他方が取り付けられており、
前記プリンタ本体部には、前記記録ヘッドと前記プラテンローラとを離すためのロックレバーが設けられており、
前記蓋部には、前記蓋部の表面をスライドするオープンレバーが設けられており、
前記オープンレバーをスライドさせることにより、前記オープンレバーの突起部が、前記ロックレバーの傾斜面を移動しながら、前記ロックレバーを所定の位置まで動かす工程と、
前記所定の位置において前記ロックレバーの動きが停止した後、更に、前記オープンレバーを蓋部に対してスライドさせることにより、前記オープンレバーの突起部が前記ロックレバーの傾斜面に沿ってスライドし、前記オープンレバーの突起部と前記ロックレバーとの間において、前記オープンレバーに前記蓋部が開く方向に力が加わり、前記蓋部が開く工程と、
を有することを特徴とするプリンタ装置の操作方法。
【発明の詳細な説明】
【技術分野】
【０００１】
本発明は、プリンタ装置及びプリンタ装置の操作方法に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。
【先行技術文献】
【特許文献】
【０００４】
【特許文献１】特許第２５８５７６９号公報
【特許文献２】特開平７−６８８６６号公報
【特許文献３】特開２００３−２４６１０４号公報
【発明の概要】
【発明が解決しようとする課題】
【０００５】
ところで、上述したプリンタ装置においては、ロール状に巻かれた記録紙を設置する際に開閉する蓋部は、回転可能な状態でプリンタ本体部に取り付けられており、蓋部を開く際の動作を円滑に行なうために、プリンタ本体部と蓋部との接続部分には、蓋部が開く方向に復元力の働くバネが設けられている。
【０００６】
このような構造のプリンタ装置においては、一般的に、低コストなものが求められており、上述したバネ等が含まれていない、部品点数が削減されている構造のものが好ましい。
【課題を解決するための手段】
【０００７】
本実施の形態の一観点によれば、プリンタ本体部と、前記プリンタ本体部に開閉可能な状態で取り付けられた蓋部と、を有し、前記蓋部には、記録ヘッドまたはプラテンローラのうちの一方が取り付けられており、前記プリンタ本体部には、前記記録ヘッドまたは前記プラテンローラのうちの他方が取り付けられており、前記プリンタ本体部には、前記プラテンローラをロックするロックが設けられ、前記ロックにはロック状態を解除するロックレバーが設けられており、前記蓋部には、前記蓋部の表面をスライドするオープンレバーが設けられており、前記ロックレバーには、前記オープンレバーの突起部と接する部分に傾斜面が設けられており、前記傾斜面は前記蓋部が開く方向に延在しており、前記オープンレバーのスライドにより、前記突起部が前記ロックレバーを押してロック状態を解除し、更に前記オープンレバーをスライドさせることによって、前記突起部が前記傾斜面に沿ってスライドして前記オープンレバーには前記蓋部が開く方向に力が加わり、前記蓋部が開くことを特徴とする。
【０００８】
また、本実施の形態の他の一観点によれば、プリンタ本体部と、前記プリンタ本体部に開閉可能な状態で取り付けられた蓋部と、を有するプリンタ装置の操作方法において、前記蓋部には、記録ヘッドまたはプラテンローラのうちの一方が取り付けられており、前記プリンタ本体部には、前記記録ヘッドまたは前記プラテンローラのうちの他方が取り付けられており、前記プリンタ本体部には、前記記録ヘッドと前記プラテンローラとを離すためのロックレバーが設けられており、前記蓋部には、前記蓋部の表面をスライドするオープンレバーが設けられており、前記オープンレバーをスライドさせることにより、前記オープンレバーの突起部が、前記ロックレバーの傾斜面を移動しながら、前記ロックレバーを所定の位置まで動かす工程と、前記所定の位置において前記ロックレバーの動きが停止した後、更に、前記オープンレバーをスライドさせることにより、前記オープンレバーの突起部が前記ロックレバーの傾斜面を移動し、前記オープンレバーの突起部と前記ロックレバーとの間において、前記ロックレバーに前記蓋部が開く方向に力が加わり、前記蓋部が開く工程と、を有することを特徴とする。
【発明の効果】
【０００９】
本発明によれば、記録紙を設置することのできるプリンタ装置を低コスト化することができる。
【図面の簡単な説明】
【００１０】
【図１】本実施の形態におけるプリンタ装置の蓋部が開いている状態の斜視図
【図２】本実施の形態におけるプリンタ装置の蓋部が閉じている状態の斜視図
【図３】本実施の形態におけるプリンタ装置の蓋部が閉じている状態の断面図
【図４】本実施の形態におけるプリンタ装置の蓋部を開く操作方法を説明するための斜視図（１）
【図５】本実施の形態におけるプリンタ装置の蓋部を開く操作方法を説明するための側面図（１）
【図６】本実施の形態におけるプリンタ装置の蓋部を開く操作方法を説明するための断面図（１）
【図７】本実施の形態におけるプリンタ装置の蓋部を開く操作方法を説明するための斜視図（２）
【図８】本実施の形態におけるプリンタ装置の蓋部を開く操作方法を説明するための側面図（２）
【図９】本実施の形態におけるプリンタ装置の蓋部を開く操作方法を説明するための断面図（２）
【図１０】本実施の形態におけるプリンタ装置の蓋部を開く操作方法を説明するための斜視図（３）
【図１１】本実施の形態におけるプリンタ装置の蓋部を開く操作方法を説明するための側面図（３）
【図１２】本実施の形態におけるプリンタ装置の蓋部を開く操作方法を説明するための断面図（３）
【図１３】本実施の形態におけるプリンタ装置の蓋部を開く操作方法を説明するための斜視図（４）
【図１４】本実施の形態におけるプリンタ装置の蓋部を開く操作方法を説明するための側面図（４）
【図１５】本実施の形態におけるプリンタ装置の蓋部を開く操作方法を説明するための断面図（４）
【発明を実施するための形態】
【００１１】
本発明を実施するための形態について、以下に説明する。尚、同じ部材等については、同一の符号を付して説明を省略する。
【００１２】
（プリンタ装置）
本実施の形態におけるプリンタ装置について、図１から図３に基づき説明する。尚、図１は、本実施の形態におけるプリンタ装置において、蓋部が開いている状態の斜視図であり、図２は、本実施の形態におけるプリンタ装置において、蓋部が閉じている状態の斜視図であり、図３は、本実施の形態におけるプリンタ装置において、蓋部が閉じている状態の断面図である。
【００１３】
本実施の形態におけるプリンタ装置は、プリンタ本体部１０と、プリンタ本体部１０に取り付けられている蓋部２０とを有している。蓋部２０は、不図示の軸を中心に回転可能な状態でプリンタ本体部１０に取り付けられている。言い換えるならば、本実施の形態におけるプリンタ装置は、プリンタ本体部１０に開閉可能な状態で取り付けられている蓋部２０を有している。プリンタ本体部１０には、本体ケース１１が設けられており、本体ケース１１の内部にロール状に巻かれた記録紙１００を設置することができるように形成されている。尚、本実施の形態におけるプリンタ装置に用いられるロール状に巻かれた記録紙１００は感熱紙である。
【００１４】
プリンタ本体部１０には、制御回路基板１２、モータ１３、１４、記録紙１００に印字を行なうための記録ヘッドであるサーマルヘッド３０、固定刃４１が設けられている。制御回路基板１２は、本実施の形態におけるプリンタ装置の制御を行なうためのものであり、モータ１３、１４は、記録紙１００を搬送するため、また、後述する可動刃４２を駆動するためのものである。モータ１３、１４は、一方を記録紙１００の搬送に用い、他方を可動刃４２の駆動に用いることができる。
【００１５】
蓋部２０には、蓋部２０を開くためのオープンレバー２１、可動刃４２、プラテンローラ５０が設けられている。オープンレバー２１は、蓋部２０の表面に設けられた溝部２２を上下方向に移動するように設置されている。
【００１６】
本実施の形態においては、プリンタ本体部１０に設けられた固定刃４１と蓋部２０に設けられた可動刃４２とにより、記録紙を切断するカッター部が形成されており、モータの駆動力によって可動刃４２が固定刃４１の設けられている側に移動することにより、固定刃４１と可動刃４２との間に存在している記録紙１００を切断することができる。
【００１７】
また、プリンタ本体部１０には、サーマルヘッド３０に押し付けられているプラテンローラ５０を取り外すためのロックレバー１５が設けられており、ロックレバー１５を下方向に押すことにより、サーマルヘッド３０からプラテンローラ５０が離れ、プラテンローラ５０を取り外すことができる。即ち、フックがプラテンローラ５０のシャフトに引っかかることにより、プラテンローラ５０がロックされ、ロックレバー１５を下方向に押す操作をすることにより、フックが下がり、フックがプラテンローラ５０のシャフトから外れる。これにより、プラテンローラ５０を取り外すことができる。
【００１８】
本実施の形態におけるプリンタ装置では、蓋部２０にプラテンローラ５０が取り付けられているため、蓋部２０に設けられたオープンレバー２１を下方向にスライドさせてロックレバー１５を下方向に押すことにより、プラテンローラ５０をプリンタ本体部１０側から取り外すとともに、蓋部２０を開くことができる。
【００１９】
プラテンローラ５０を取り外す際には、ロックレバー１５を操作することにより、サーマルヘッド３０を含むプリンタメカ部に設けられた不図示のバネにより、プラテンローラ５０が付勢されて飛び出すように形成されている。本実施の形態においては、このバネによる力、即ち、バネによりプラテンローラ５０が飛び出す方向に働く力が、蓋部２０を開く際の力の一部として加わっている。
【００２０】
本実施の形態におけるプリンタ装置に記録紙１００を設置する場合には、プリンタ本体部１０の本体ケース１１の内部にロール状に巻かれた記録紙１００を設置し、蓋部２０を閉じるとプリンタ装置にロール状に巻かれた記録紙がセットされる。
【００２１】
尚、プリンタ装置は、プリンタ本体部１０にプラテンローラ５０が設けられ、蓋部２０にサーマルヘッド３０が設けられる構造のものであってもよい。
【００２２】
（プリンタ装置における蓋部２０を開く方法）
次に、本実施の形態におけるプリンタ装置において、蓋部２０を開く方法について説明する。蓋部２０は、プリンタ本体部１０に設置されている記録紙１００がなくなった場合や、記録紙１００を交換する場合などに開かれる。
【００２３】
最初に、図４から図６に基づき、本実施の形態におけるプリンタ装置において、蓋部２０が閉じている場合について説明する。尚、図４は、蓋部２０が閉じた状態の本実施の形態におけるプリンタ装置の斜視図であり、図５は側面図であり、図６は断面図である。
【００２４】
蓋部２０に取り付けられているオープンレバー２１は、蓋部２０の表面に形成された溝部２２に沿ってスライド移動するスライド部２１ａと、スライド部２１ａより外側に突起しており人の指等により操作される操作部２１ｂと、蓋部２０の内側に突起している突起部２１ｃとを有している。突起部２１ｃには、ロックレバー１５と接触する先端部２１ｄが形成されている。オープンレバー２１にはバネ２３が接続されており、バネ２３は人の指等により下に押し下げられたオープンレバー２１を上方向に戻す方向に復元力が働くように設置されている。また、プリンタ本体部１０に設けられたロックレバー１５には、オープンレバー２１の突起部２１ｃの先端部２１ｄと接する部分に傾斜面１５ａが形成されている。ロックレバー１５は。図６図示奥行き方向を回転軸として、回転可能にプリンタ本体部１０に設けられている。
【００２５】
次に、図７から図９に示すように、オープンレバー２１の操作部２１ｂを人の指等により下方向に力を加え、溝部２２においてスライド部２１ａを下方向（図９図示矢印方向）に移動させる。尚、図７は、スライド部２１ａを下方向に移動させた状態の本実施の形態におけるプリンタ装置の斜視図であり、図８は側面図であり、図９は断面図である。
【００２６】
図７から図９に示すように、オープンレバー２１のスライド部２１ａが溝部２２において下方向に移動することにより、オープンレバー２１が下方向に移動する。これに応じて突起部２１ｃも下方向に動くため、図９に示すようにオープンレバー２１の突起部２１ｃの先端部２１ｄはロックレバー１５の傾斜面１５ａに沿って移動しながら、ロックレバー１５を押し下げる。
【００２７】
次に、図１０から図１２に示すように、更に、オープンレバー２１の操作部２１ｂに人の指等により下方向に力を加え、溝部２２においてスライド部２１ａを下方向に移動させる。尚、図１０は、操作部２１ｂを下方向に移動した状態におけるプリンタ装置の斜視図であり、図１１は側面図であり、図１２は断面図である。
【００２８】
オープンレバー２１のスライド部２１ａが図７から図９の状態から更に溝部２２において下方向に移動すると、突起部２１ｃも下方向に動くことにより、オープンレバー２１の突起部２１ｃの先端部２１ｄがロックレバー１５を押す。先端部２１ｄにより押されたロックレバー１５は、特定の位置まで押し下げられるとプラテンローラ５０のロック状態を解除し、プラテンローラ５０のロック状態が解除されて所定の位置まで押し下げられると、それ以上動くことはなく、その状態が保たれる。このとき、ロックレバー１５は図１２に示すように図１２図示の左端側が下がるため、傾斜面１５ａも図示左下がりに傾斜する。オープンレバー２１の突起部２１ｃの先端部２１ｄは、操作部２１ｂの押し下げ操作に応じて、動きが停止している状態のロックレバー１５の傾斜面１５ａに沿って下方かつ外側（図１２図示左側）方向にスライドして移動する。このように、オープンレバー２１の突起部２１ｃの先端部２１ｄが、動きが停止している状態のロックレバー１５の下向きに傾斜している傾斜面１５ａに沿って外側方向に移動することにより、オープンレバー２１には蓋部２０が開く方向に力が加わり、蓋部２０がプリンタ本体部１０との接続部分における不図示の軸部を中心に回転し、蓋部２０が開く。
【００２９】
尚、本実施の形態においては、ロックレバー１５が所定の位置まで押し下げられている状態においては、プラテンローラ５０にはサーマルヘッド３０から離れる方向に力が加わるため、この力が蓋部２０を開く際の力の一部となる。
【００３０】
この後、図１３から図１５に示すように、蓋部２０が開く。尚、図１３は、本実施の形態におけるプリンタ装置の蓋部２０が開いた状態における斜視図であり、図１４は側面図であり、図１５は断面図である。
【００３１】
蓋部２０が開くことにより、オープンレバー２１の突起部２１ｃの先端部２１ｄとロックレバー１５とが離れ、蓋部２０が完全に開かれる。この後、オープンレバー２１の操作部２１ｂより人の指が離れると、オープンレバー２１は、バネ２３の復元力により上方向に力が働き動くため、元の状態に戻る。
【００３２】
本実施の形態におけるプリンタ装置においては、プリンタ本体部１０と蓋部２０との接続部分に蓋部２０を開くための付勢力を有するバネを設けることなく、オープンレバー２１を操作することにより、蓋部２０を開くことができる。よって、プリンタ本体部１０と蓋部２０との接続部分に蓋部２０を開くための付勢力を有するバネが不要となるため、プリンタ装置を低コストにすることができる。
【００３３】
以上、本発明の実施に係る形態について説明したが、上記内容は、発明の内容を限定するものではない。
【符号の説明】
【００３４】
１０        プリンタ本体部
１１        本体ケース
１２        制御回路基板
１３        モータ
１４        モータ
１５        ロックレバー
１５ａ      傾斜面
２０        蓋部
２１        オープンレバー
２１ａ      スライド部
２１ｂ      操作部
２１ｃ      突起部
２１ｄ      先端部
３０        サーマルヘッド
４１        固定刃
４２        可動刃
５０        プラテンローラ
【図１】
0006529729.tif 000002
【図２】
0006529729.tif 000003
【図３】
0006529729.tif 000004
【図４】
0006529729.tif 000005
【図５】
0006529729.tif 000006
【図６】
0006529729.tif 000007
【図７】
0006529729.tif 000008
【図８】
0006529729.tif 000009
【図９】
0006529729.tif 000010
【図１０】
0006529729.tif 000011
【図１１】
0006529729.tif 000012
【図１２】
0006529729.tif 000013
【図１３】
0006529729.tif 000014
【図１４】
0006529729.tif 000015
【図１５】
0006529729.tif 000016